(57)【要約】【課題】外壁の吊り上げ時に外壁パネルの位置ずれを防止できる外壁パネルの取付構造およびそれを用いたユニット建物の製造方法を提供する。【解決手段】間柱７の基部７１には、複数の取付孔７１ａが設けられている。各取付孔７１ａの上側近傍には位置決めピン１０が突設されている。外壁パネル８のフレーム８１の左右側部８１１には、間柱７の取付孔７１ａと対応する部分に取付孔８１ａが設けられている。双方の取付孔７１ａ、８１ａはリベット９が挿通して固定されるように形成されている。さらに、左右側部８１１には、位置決めピン１０と対応する部分に位置決め穴１１が設けられている。この位置決め穴１１は、位置決めピン１０を挿通させて嵌合するように形成されている。【選択図】図３
2012077510.tif 000002
【特許請求の範囲】
【請求項１】
建物ユニットを構成する間柱および外壁パネルに設けられた取付孔と、双方の取付孔に挿通して前記外壁パネルを前記間柱に固定するリベットとを備える外壁パネルの取付構造において、
前記間柱または前記外壁パネルの一方に位置決めピンを突設し、前記間柱または前記外壁パネルの他方に前記位置決めピンを挿通させて固定するための位置決め穴を設けたことを特徴とする外壁パネルの取付構造。
【請求項２】
請求項１に記載の外壁パネルの取付構造において、
前記位置決めピンを前記間柱または前記外壁パネルの一方の前記取付孔の近傍に設け、前記位置決め穴を前記間柱または前記外壁パネルの他方の前記取付孔の近傍に設けたことを特徴とする外壁パネルの取付構造。
【請求項３】
請求項１または請求項２に記載の外壁パネルの取付構造において、
前記間柱は断面コ字状の型鋼から形成され、その中間部分の基部の外面には前記取付孔および前記位置決めピンまたは前記位置決め穴の一方が設けられ、当該基部の上下端には当該間柱を他の部材に固定する固定部が一体形成されて当該基部の内面側に直角に折り曲げられていることを特徴とする外壁パネルの取付構造。
【請求項４】
請求項３に記載の外壁パネルの取付構造において、
前記基部の外面の上下端部の左右中間部分から前記固定部の外面の左右中間部分にかけての領域に凹条を当該領域の長さ方向に延設したことを特徴とする外壁パネルの取付構造。
【請求項５】
請求項４に記載の外壁パネルの取付構造において、
前記凹条の左右側に前記凹条に沿って一対の凹条を延設したことを特徴とする外壁パネルの取付構造。
【請求項６】
間柱に外壁パネルを取り付けて外壁を形成し、柱と梁から構成される骨組みに前記外壁を組み付けて建物ユニットを製造し、この建物ユニットを複数組み合わせてユニット建物にするユニット建物の製造方法において、
前記外壁に開口部を形成する場合には、前記外壁パネルを前記間柱に取り付けるときに、請求項１〜請求項５のいずれか１項に記載の外壁パネルの取付構造を用いたことを特徴とするユニット建物の製造方法。
【発明の詳細な説明】
【技術分野】
【０００１】
本件発明は、外壁パネルを間柱に取り付けるときに用いられる外壁パネルの取付構造およびそれを用いたユニット建物の製造方法に関する。
【背景技術】
【０００２】
従来より、ユニット建物は複数の建物ユニットを組み合わせて製造されている。この建物ユニットは、柱や梁を用いて直方体状の骨組み（構造体）を作り、この骨組みに外壁を組み付ける。この外壁は、間柱に外壁パネルを取り付けて構成されている。外壁を骨組みに組み付ける際には、外壁をクレーン等で吊り上げて間柱を梁に固定する。
【０００３】
外壁に開口部を形成する場合には、開口部の上側にマグサを配置し、開口部の下側に窓台を配置する。このようにして外壁が組み付けられた建物ユニットはクレーン等で吊り上げられて別の場所に移動され、開口部に窓が嵌め込まれた後、他の建物ユニットと組み合わせられてユニット建物になる。
【０００４】
また、外壁パネルを間柱に取り付けるときには、一般的にリベットが用いられている。具体的に説明すると、間柱と外壁パネルにそれぞれ取付孔を設け、双方の取付孔にリベットを挿通して外壁パネルを間柱に固定している（特許文献１参照）。
【先行技術文献】
【特許文献】
【０００５】
【特許文献１】特開平８−６０７６５号公報
【発明の概要】
【発明が解決しようとする課題】
【０００６】
しかしながら、従来の外壁パネルの取付け構造は、双方の取付孔にリベットを挿通させるためにクリアランスが必要となっている。そのため、外壁の吊り上げ時に、このクリアランスによって外壁パネルの位置がずれる。特に、マグサの上側に位置する間柱に取り付けられた外壁パネルの場合には、吊り上げ時にマグサが撓んで外壁パネルの位置が大きくずれてしまい、周囲の外壁パネルとの間にタイルの目地ずれを起こしてしまう。したがって、外壁を骨組みに組み付ける際に外壁パネルの位置を調整することが必要となっていた。
【０００７】
本件発明は、このような従来の課題に鑑みてなされたものであり、外壁の吊り上げ時に外壁パネルの位置ずれを防止できる外壁パネルの取付構造およびそれを用いたユニット建物の製造方法を提供することを目的とする。
【課題を解決するための手段】
【０００８】
本件発明者等は、鋭意研究の結果、前記課題を解決するために以下のような外壁パネルの取付構造およびそれを用いたユニット建物の製造方法を採用した。
【０００９】
本件発明の外壁パネルの取付構造は、建物ユニットを構成する間柱および外壁パネルに設けられた取付孔と、双方の取付孔に挿通して前記外壁パネルを前記間柱に固定するリベットとを備える外壁パネルの取付構造において、
前記間柱または前記外壁パネルの一方に位置決めピンを突設し、前記間柱または前記外壁パネルの他方に前記位置決めピンを挿通させて固定するための位置決め穴を設けたことを特徴としている。
【００１０】
ここで、位置決めピンを間柱または外壁パネルの一方の取付孔の近傍に設け、位置決め穴を間柱または外壁パネルの他方の取付孔の近傍に設けることが好ましい。
【００１１】
また、間柱を断面コ字状の型鋼から形成しても良い。その場合には、間柱の中間部分である基部に取付孔および位置決めピンまたは位置決め穴の一方を設ける。そして、基部の上下端に間柱を他の部材に固定する固定部を一体形成し、基部の内面側に直角に折り曲げるようにすることが好ましい。
【００１２】
また、基部の外面の上下端部の左右の中間部分から固定部の外面の左右の中間部分にかけての領域に凹条を当該領域の長さ方向に延設しても良い。さらに、凹条の左右側に凹条に沿って一対の凹条を延設しても良い。
【００１３】
また、本件発明のユニット建物の製造方法は、間柱に外壁パネルを取り付けて外壁を形成し、柱と梁から構成される骨組みに前記外壁を組み付けて建物ユニットを製造し、この建物ユニットを複数組み合わせてユニット建物にするユニット建物の製造方法において、
前記外壁に開口部を形成する場合には、前記外壁パネルを前記間柱に取り付けるときに、本件発明の外壁パネルの取付構造を用いたことを特徴としている。
【発明の効果】
【００１４】
本件発明の外壁パネルの取付構造およびそれを用いたユニット建物の製造方法では、間柱と外壁パネルに位置決めピンと位置決め穴を設けた。これにより、外壁の製造時において外壁パネルを間柱に取り付けるときには位置決めピンを位置決め穴に固定することにより外壁パネルの位置が固定される。したがって、外壁を吊り上げる時には、双方の取付孔にクリアランスがあっても外壁パネルの位置がずれることがない。よって、外壁の吊り上げ時に外壁パネルの位置ずれを防止できる。
【図面の簡単な説明】
【００１５】
【図１】本件発明の一実施の形態のユニット建物の製造方法を示す図である。
【図２】同実施の形態の外壁の正面図である。
【図３】同実施の形態の外壁パネルの取付構造の分解斜視図である。
【図４】同実施の形態の間柱の斜視図である。
【図５】同実施の形態の外壁パネルの取付構造の断面図である。
【図６】外壁パネルの取付構造の他の実施の形態を示す分解斜視図である。
【図７】外壁パネルの取付構造の他の実施の形態を示す断面図である。
【発明を実施するための形態】
【００１６】
以下、本件発明の実施の形態を図にしたがって説明する。
【００１７】
図１は、本件発明の一実施の形態のユニット建物１の製造方法を示す図である。このユニット建物１の製造方法を簡単に説明すると、まず（ａ）〜（ｃ）に示すように建物ユニット２を製造する。次に（ｄ）に示すようにクレーン等（図示せず）で建物ユニット２を吊り上げて別の場所に移動する。最後に（ｅ）に示すように複数の建物ユニット２を組み合わせてユニット建物１を製造する。また、建物ユニット２に形成されている開口部２ａには、（ｅ）において建物ユニット２を組み合わせる前に窓２ｂを嵌めこむ。
【００１８】
建物ユニット２は、図１の（ａ）（ｂ）に示すように、直方体状の骨組み２００（構造体）に外壁８００を組み付けて製造される。骨組み２００は、柱３や梁４を用いて製造される。外壁８００は、間柱７に外壁パネル８を取り付けて形成される。外壁８００を骨組み２００に組み付ける際には、外壁８００をクレーン等（図示せず）で吊り上げて間柱７を梁４に固定する。また、外壁８００に開口部２ａを形成する場合には、開口部２ａの上側にマグサ５を配置して左右端部を左右の間柱７、７に固定し、開口部２ａの下側に窓台６を配置して左右端部を左右の間柱７、７に固定する。
【００１９】
また、図２に示すように外壁パネル８は、間柱７にリベット９を用いて取り付けられる。ここでは、マグサ５の上側に配置されている間柱７に外壁パネル８を取り付ける構造（外壁パネル８の取付構造）を説明する。
【００２０】
図３に示すように外壁パネル８の取付構造は、リベット９、間柱７に設けられた取付孔７１ａと位置決めピン１０、外壁パネル８に設けられた取付孔８１ａと位置決め穴１１を備えている。以下に、これらの部材も含めて間柱７と外壁パネル８の各構成について詳しく説明する。
【００２１】
まず、間柱７の構成について説明する。図４にも示すように間柱７は断面コ字状の型鋼から形成され、基部７１と、左右の側部７２、７２とを備えている。図３や図４では間柱７の上部を示しているが下部も同様な構造である。また、図３や図４の間柱７は、マグサ５の上方に配置されている間柱７の内、真ん中に位置する間柱７である。
【００２２】
基部７１は、間柱７の中間部分を構成している。基部７１の外面７ａの上下の中間部分には、複数の取付孔７１ａが左右に並んで設けられている。ここで外面７ａは、外壁パネル８が取り付けられる面である。さらにこの中間部分には、各取付孔７１ａの上側近傍に位置決めピン１０が突設されている。この位置決めピン１０は円錐台状に形成されている。
【００２３】
また、基部７１の上下端には固定部７３が一体形成されている。上側の固定部７３は間柱７を梁４に固定する部分であり、下側の固定部７３は間柱７をマグサ５に固定する部分である。この固定部７３は基部７１の内面７ｂ側に直角に折り曲げられている。固定部７３の先端の左右の中間部分には、半円形状の切り欠き７３ａが設けられている。この切り欠き７３ａの左右側にはボルト穴７３ｂ、７３ｂが設けられている。このボルト穴７３ｂは、間柱７を上側の梁４やマグサ５にボルト（図示せず）で固定するために用いられる。
【００２４】
さらに、基部７１の外面７ａの上下端部の左右の中間部分から固定部７３の外面７ａの切り欠き７３ａにかけての領域には、凹条７４が当該領域の長さ方向に延設されている。凹条７４の左右側には、一対の凹条７５、７５が凹条７４に沿って延設されている。具体的には、双方の凹条７５、７５は、基部７１の外面７ａの上下端部の左右の中間部分から固定部７３の外面７ａのボルト穴７３ｂ、７３ｂの手前までの領域に延設されている。
【００２５】
また、左右の側部７２、７２は基部７１の左右端に一体形成され、基部７１の内面７ｂ側に直角に折り曲げられている。さらに、左右の側部７２、７２の先端部分７２ａ、７２ａは内面７ｂ側に直角に折り曲げられている。
【００２６】
次に、図３を用いて外壁パネル８の構成について説明する。ここでは、１本の間柱７に２枚の外壁パネル８を取り付ける例を示す。この外壁パネル８は、フレーム８１と、面材８２とを備えている。
【００２７】
フレーム８１は四角形の枠状に形成されている。フレーム８１の左右側部８１１には、間柱７の取付孔７１ａと対応する部分に取付孔８１ａが設けられている。双方の取付孔７１ａ、８１ａはリベット９が挿通して固定されるように形成されている。また、左右側部８１１には、位置決めピン１０と対応する部分に位置決め穴１１が設けられている。この位置決め穴１１は、位置決めピン１０を挿通させて嵌合するように形成されている。
【００２８】
面材８２は、フレーム８１の外面側に固定されている。この面材８２の外面には、図２に示すようにタイル８３が貼着されている。なお、図２において、マグサ５の上側の外壁パネル８以外の外壁パネル８についてはタイル８３を省略している。
【００２９】
次に、図３と図５を用いて外壁パネル８の取付方法について説明する。まず、作業者は、図５に示すように間柱７の基部７１の外面７ａに粘着テープ１２を貼る。次に、１枚目の外壁パネル８を持って、位置決め穴１１に間柱７の一方の位置決めピン１０を嵌めこんで溶接により固定する。そして、基部７１の内面７ｂ側から双方の取付孔７１ａ、８１ａにリベット９を通して外壁パネル８を間柱７に固定する。
【００３０】
続いて作業者は２枚目の外壁パネル８を持って、位置決め穴１１に間柱７のもう一方の位置決めピン１０を嵌めこんで溶接により固定する。そして、基部７１の内面７ｂ側から双方の取付孔７１ａ、８１ａにリベット９を通して外壁パネル８を間柱７に固定する。最後に、図５に示すように双方の外壁パネル８、８の間に防水手段としてガスケット１３を設ける。
【００３１】
以上説明したように本実施の形態の外壁パネル８の取付構造では、外壁８００の製造時において外壁パネル８を間柱７に取り付けるときに位置決めピン１０を位置決め穴１１に固定することにより外壁パネル８の位置が固定される。したがって、外壁８００の吊り上げ時には、双方の取付孔７１ａ、８１ａにクリアランスがあっても外壁パネル８の位置がずれることがない。よって、本実施の形態の外壁パネル８の取付構造は、外壁８００の吊り上げ時に外壁パネル８の位置ずれを防止できる。また、その結果、周囲の外壁パネル８との間にタイル８３の目地ずれが起きないので、外壁８００を骨組み２００に組み付ける際に外壁パネル８の位置を調整する必要もなくなる。
【００３２】
また、本実施の形態の外壁パネル８の取付構造では、位置決めピン１０を間柱７の取付孔７１ａの近傍に設け、位置決め穴１１を外壁パネル８の取付孔８１ａの近傍に設けた。したがって、位置決めピン１０を位置決め穴１１に挿入するときには、双方の取付孔７１ａ、８１ａが指標になるので、挿入作業を容易に行うことができる。
【００３３】
また、本実施の形態の外壁パネル８の取付構造では、間柱７を断面コ字状の型鋼から形成し、基部７１の上下端に固定部７３を一体形成して内面７ｂ側に直角に折り曲げるようにした。したがって、外壁パネル８を間柱７に取り付けるときに固定部７３で邪魔されてしまうことがないので、外壁パネル８の取付作業を容易に行うことができる。
【００３４】
また、本実施の形態の外壁パネル８の取付構造では、基部７１の外面７ａの上下端部から固定部７３の外面７ａにかけての領域に凹条７４を設けた。これにより、固定部７３の折り曲げ部分７ｃ（図４参照）とその周囲が補強される。したがって、間柱７に外壁パネル８が取り付けられても外壁パネル８がぐらつくことがないので、外壁パネル８を間柱７に安定した状態で取り付けておくことができる。
【００３５】
さらに、凹条７４の左右側に一対の凹条７５、７５を設けたので、固定部７３の折り曲げ部分７ｃとその周囲の補強性をさらに高めることができ、外壁パネル８を間柱７により安定した状態で取り付けておくことができる。
【００３６】
また、本実施の形態のユニット建物１の製造方法は、外壁８００の製造時において外壁パネル８を間柱７に取り付けるときに上記の外壁パネル８の取付構造を用いた。よって、外壁８００の吊り上げ時には外壁パネル８の位置ずれを防止できる。
【００３７】
以上、本件発明にかかる実施の形態を例示したが、この実施の形態は本件発明の内容を限定するものではない。また、本件発明の請求項の範囲を逸脱しない範囲であれば、各種の変更等は可能である。
【００３８】
例えば、本実施の形態では、マグサ５の上側に配置されている間柱７に外壁パネル８を取り付ける構造に本件発明を適用した場合を説明したが、その他の間柱７に外壁パネル８を取り付ける構造にも、本実施の形態のように位置決めピン１０、位置決め穴１１、凹条７４、７５を設けても良い。
【００３９】
また、本実施の形態では、間柱７に位置決めピン１０を設け、外壁パネル８に位置決め穴１１を設けたが、図６に示すように間柱７の方に位置決め穴１１を設け、外壁パネル８の方に位置決めピン１０を設けるようにしても良い。
【００４０】
また、本実施の形態の位置決めピン１０は、位置決め穴１１に嵌合して溶接により固定するものを使用したが、図７の（ａ）と（ｂ）に示すような位置決めピン２０、３０を使用しても良い。
【００４１】
図７の（ａ）に示す位置決めピン２０は、ねじ取付部２１と、タッピンねじ２２とから構成されている。ねじ取付部２１は円錐台状に形成されており、その上面には凹部２１ａが形成されている。凹部２１ａの内底面２１ｂは、タッピンねじ２２の座を構成している。タッピンねじ２２は、この内底面２１ｂに頭部２２ａが配置されて、ねじ取付部２１の底部２１ｃを貫通して設けられている。位置決め穴１１には、このタッピンねじ２２が回されながら嵌め込まれることにより固定される。
【００４２】
図７の（ｂ）に示す位置決めピン３０は、頭部３１と、ボルト軸３２とから構成されている。頭部３１は円錐台状に形成されている。ボルト軸３２は、頭部３１の底面３１ａに設けられている。一方、位置決め穴４１にはタップが切られており、ボルト軸３２はこの位置決め穴４１に螺合して固定される。
【００４３】
このように、これらの位置決めピン２０、３０は、位置決め穴１１、４１に乾式で固定されるので、本実施の形態のように溶接で固定する場合に比べて位置決めピンの固定作業を効率良く行うことができる。
【産業上の利用可能性】
【００４４】
以上説明したように本件発明の外壁パネルの取付構造およびユニット建物の製造方法は、外壁の吊り上げ時に外壁パネルの位置ずれを防止できる。したがって、本件発明の外壁パネルの取付構造およびユニット建物の製造方法は、外壁パネルの取付構造やユニット建物の製造方法の技術分野で十分に利用することができる。
【符号の説明】
【００４５】
１  ユニット建物
２  建物ユニット
２ａ   開口部
５  マグサ
６  窓台
７  間柱
７ａ   外面
７ｂ   内面
８  外壁パネル
９  リベット
１０  位置決めピン
１１  位置決め穴
２０  位置決めピン
３０  位置決めピン
４１  位置決め穴
７１  基部
７１ａ  取付孔
７３  固定部
７４  凹条
７５  凹条
８１ａ  取付孔
８００  外壁
【図１】
2012077510.tif 000003
【図２】
2012077510.tif 000004
【図３】
2012077510.tif 000005
【図４】
2012077510.tif 000006
【図５】
2012077510.tif 000007
【図６】
2012077510.tif 000008
【図７】
2012077510.tif 000009